(57)【特許請求の範囲】
【請求項１】
フレームと、
前記フレーム内に配置され第１光ファイバを有する接続部品と、前記第１光ファイバの端面に対して接続するための第２光ファイバを把持する把持部材であって、
前記第２の光ファイバの長手方向に伸びており前記第１の光ファイバと前記第２の光ファイバの接続端面から離れるに従って前記第２の光ファイバの中心軸から離れる方向に傾斜している傾斜面を備える把持部材と、
前記フレームに接続され、解放部を備えており該解放部に前記傾斜面が配置されるように前記把持部材を収納する収納室を有する把持部材収納部と、
前記解放部よりも前記第１光ファバ寄りに設けられた回転支点を中心として回転可能な蓋であって、該蓋は前記回転支点を中心に回転したときに前記解放部に配置された前記傾斜面に対して押し当てられる突起を有しており、前記回転支点を中心として回転することにより前記収納室の前記解放部を閉鎖する際に前記突起により前記傾斜面を押圧して、前記把持部材を軸方向に沿って前記第１の光ファイバから離れる方向にスライド移動させた状態で前記把持部材を前記収納室の固定位置に固定させる蓋と、を備え、
前記蓋の前記回転支点から前記突起の先端までの第１距離は、前記回転支点から前記把持部材の前記傾斜面の前記第１の光ファイバ側の端部までの第２距離以下に設定され、
前記把持部材収納部は、前記把持部材を前記固定位置に固定させるためのストッパを有し、
前記把持部材の端部と前記ストッパとの間の間隔に相当する前記把持部材の移動量は、
前記傾斜面の前記軸方向に沿った長さ以下であることを特徴とする光コネクタ。
【請求項２】
前記回転支点からの前記突起の先端までの高さは、前記傾斜面の前記軸方向に対して垂直方向に沿った長さ以上であることを特徴とする請求項１に記載の光コネクタ。
【請求項３】
前記軸方向に対する前記把持部材の前記傾斜面の傾斜角度は、１５度以上で４５度以下であることを特徴とする請求項１または請求項２に記載の光コネクタ。
【請求項４】
前記把持部材は、前記蓋の内面側に対面する第１面部と、前記収納室の底面部に接する第２面部とを有しており、
前記第１面部と前記第２面部には、それぞれ前記傾斜面が形成されていることを特徴とする請求項１乃至３のいずれか１項に記載の光コネクタ。
【請求項５】
前記回転支点は、前記フレームに対して固定された部分に形成されており、前記固定された部分は、前記把持部材収納部と一体に形成されていることを特徴とする請求項４に記載の光コネクタ。
【発明の詳細な説明】
【技術分野】
【０００１】
本発明は、光ファイバ用の光コネクタに関し、特に光ファイバをメカニカル接続で接続する光コネクタに関する。
【背景技術】
【０００２】
通信の多様化と大容量化に伴って、ＦＴＴＨ（Ｆｉｂｅｒ  Ｔｏ  Ｔｈｅ  Ｈｏｍｅ）に代表される光ファイバを使用した通信が急激に普及している。光ファイバによる通信の普及に伴って、作業員が、光ファイバの心線同士を、光コネクタを用いて現場で接続する工事を行う際には、この光コネクタによる光ファイバ同士の接続作業が容易にかつ確実に行えることが望ましい。そこで、光ファイバの心線同士を接続する現場において、光コネクタが無電源で無研磨によって組み立てられることで光ファイバの心線同士を接続するメカニカル接続型の光コネクタが用いられるようになってきている。
【０００３】
光ファイバ同士を接続するために、挿入して接続しようとする光ファイバの心線の端面と、フェルールに内蔵された内蔵光ファイバの心線の端面とが、互いに接触されることで光学的に接続される（例えば、特許文献１参照）。
【特許文献１】特開平１０−２０６６８８号公報
【発明の開示】
【発明が解決しようとする課題】
【０００４】
ところで、図１４（Ａ）〜図１４（Ｃ）および図１５（Ａ）〜図１５（Ｂ）は、挿入して接続しようとする光ファイバの心線を位置決めして固定する様子を示している。
図１４（Ａ）に示すように、光ファイバ２００の心線２０１は、光コネクタ２０２の接続部品２０３内に挿入される。接続部品２０３はクサビを差し込むことにより内部が押し広げられており、図１４（Ｂ）に示すように、光ファイバ２００の心線２０１の端面２１１が接続部品２０３内のフェルール２０５に内蔵された内蔵光ファイバ２０９の端面２１０に突き当てられると、光ファイバ２００自体は撓んだ状態になりたわみ２１２が生じる。
【０００５】
作業者がこの光ファイバ２００のたわみ２１２を確認して、作業者が接続部品２０３からクサビを外してこのクサビによる接続部品２０３の内部の押し広げ状態を解除して、図１４（Ｃ）に示すように作業者が光ファイバ２００の把持部品２０６を光コネクタ２０２内で手で持ってストッパ２０８に向けてＲ方向に押してバックさせる。この後、図１５（Ａ）に示すように、作業者が蓋２０７を用いて光コネクタ２０２を閉じる。
【０００６】
このように、図１５（Ａ）に示すようにして把持部材２０６が、光コネクタ２０２内でＲ方向に沿って完全にバックさせてストッパ２０８に対して位置決めされた場合には、蓋２０７が完全に閉まり、光ファイバ２０２の接続作業は終了する。
【０００７】
しかし、図１５（Ｂ）に示すように、この把持部材２０６が、光コネクタ２０２内でＲ方向に沿って完全にバックさせてストッパ２０８に対して位置決めできていないと、図１５（Ｂ）に示すように蓋２０７が完全には閉まらない。このため、光ファイバ接続作業がスムーズにしかも確実に行えない。
【０００８】
そこで、本発明は上記課題を解消するために、作業者が光ファイバの把持部材を手動でストッパに向けて移動しなくても、蓋を閉める動作に伴って把持部材を移動させて位置決めして固定して蓋を確実に閉めることができ、光ファイバ接続作業をスムーズにしかも確実に行うことができる光コネクタを提供することを目的とする。
【課題を解決するための手段】
【０００９】
上記課題を解消するために、本発明の光コネクタは、
フレームと、
前記フレーム内に配置され第１光ファイバを有する接続部品と、
前記第１光ファイバの端面に対して接続するための第２光ファイバを把持する把持部材であって、前記第２の光ファイバの長手方向に伸びており前記第１の光ファイバと前記第２の光ファイバの接続端面から離れるに従って前記第２の光ファイバの中心軸から離れる方向に傾斜している傾斜面を備える把持部材と、
前記フレームに接続され、解放部を備えており該解放部に前記傾斜面が配置されるように前記把持部材を収納する収納室を有する把持部材収納部と、
前記解放部よりも前記第１光ファバ寄りに設けられた回転支点を中心として回転可能な蓋であって、該蓋は前記回転支点を中心に回転したときに前記解放部に配置された前記傾斜面に対して押し当てられる突起を有しており、前記回転支点を中心として回転することにより前記収納室の前記解放部を閉鎖する際に前記突起により前記傾斜面を押圧して、前記把持部材を軸方向に沿って前記第１の光ファイバから離れる方向にスライド移動させた状態で前記把持部材を前記収納室の固定位置に固定させる蓋と、を備え、
前記蓋の前記回転支点から前記突起の先端までの第１距離は、前記回転支点から前記把持部材の前記傾斜面の前記第１の光ファイバ側の端部までの第２距離以下に設定され、
前記把持部材収納部は、前記把持部材を前記固定位置に固定させるためのストッパを有し、
前記把持部材の端部と前記ストッパとの間の間隔に相当する前記把持部材の移動量は、
前記傾斜面の前記軸方向に沿った長さ以下であることを特徴とする。
【００１０】
本発明の光コネクタは、好ましくは前記回転支点からの前記突起の先端までの高さは、前記傾斜面の前記軸方向に対して垂直方向に沿った長さ以上であることを特徴とする。
本発明の光コネクタは、好ましくは前記軸方向に対する前記把持部材の前記傾斜面の傾斜角度は、１５度以上で４５度以下であることを特徴とする。
【００１１】
本発明の光コネクタは、好ましくは前記把持部材は、前記蓋の内面側に対面する第１面部と、前記収納室の底面部に接する第２面部とを有しており、
前記第１面部と前記第２面部には、それぞれ前記傾斜面が形成されていることを特徴とする。
【００１２】
本発明の光コネクタは、好ましくは前記回転支点は、前記フレームに対して固定された部分に形成されており、前記固定された部分は、前記把持部材収納部と一体に形成されていることを特徴とする。
【発明の効果】
【００１３】
本発明によれば、作業者が光ファイバの把持部材を手動でストッパに向けて移動しなくても、蓋を閉める動作に伴って把持部材を移動させて位置決めして固定して蓋を確実に閉めることができ、光ファイバ接続作業をスムーズにしかも確実に行うことができる。
【発明を実施するための最良の形態】
【００１４】
図１は、本発明の光コネクタの好ましい実施形態を示し、蓋が開いている状態を示す斜視図である。図２は、図１に示す光コネクタの蓋が閉じた状態を示している斜視図である。
【００１５】
図１と図２に示す光コネクタ１０は、例えばプラスチックにより作られており、把持部材収納部１１と、プラグフレーム（フレームの一例）１２と、スライダ１３と、蓋１４と、補助ユニット１５を有している。
【００１６】
図３は、図１と図２に示す把持部材収納部１１の形状を明示するために、光コネクタ１０から補助ユニット１５を取り外した状態を示しており、しかも把持部材の形状を示す斜視図である。図４は、図３におけるＡ−Ａ線における光コネクタ１０の内部構造を示す断面図である。
【００１７】
図３と図４（Ａ）に示す把持部材収納部１１は、光ファイバケーブルの把持部材２０を収容して保持するためにほぼ直方体形状の収納室１６を有する。この収納室１６は、光ファイバケーブルの把持部材２０を収納する容積を有している。把持部材収納部１１は、基部１１Ｂと、第１側面部１１Ｆと第２側面部１１Ｇと、底面部１７と、ストッパ１８を有しており、底面部１７と第１側面部１１Ｆと第２側面部１１Ｇと基部１１Ｂは収納室１６を形成している。収納室１６の上部は開放されており、収納室１６の上部の開放部は蓋１４により閉鎖できる。ストッパ１８は、把持部材を２０の端部を突き当てることで収容室１６の固定位置に固定させる。
【００１８】
図４に示すように、プラグフレーム１２の中には、軸方向ＣＬに沿って接続部材２１が配置されている。
【００１９】
図４（Ａ）に示すように、プラグフレーム１２の一端部１２Ｂは、把持部材収納部１１の基部１１Ｂに固定されている。この基部１１Ｂは、接続部品２１に連絡される先細り状の通路１１Ｃと円柱状の通路１１Ｄを有しており、この通路１１Ｃと通路１１Ｄは接続部品２１と収納室１６を接続している。プラグフレーム１２の他端部１２Ｃは、図示しない例えばソケットタイプのコネクタに接続できるようになっている。
【００２０】
蓋１４の連結部１４Ｂは、把持部材収納部１１の基部１１Ｂに対して回転支点１９を中心としてＲ方向に回動可能に取り付けられており、蓋１４が９０度を超える角度でＲ方向に回動することで、この蓋１４は把持部材収納部１１の収納室１６の上部の開放部を閉じることができる。回転支点１９は、プラグフレーム１２に対して固定された部分である基部１１Ｂに形成されており、基部１１Ｂは、把持部材収納部１１と一体に形成されていて把持部品収納部１１の一部分である。
【００２１】
図１と図３に示すように、蓋１４は、第１係合部２８と第２係合部２９と、第１取り付け部３１と第２取り付け部３２と、１つの突起３３を有している。第１係合部２８と第２係合部２９は、それぞれ平行に形成されており、第１係合部２８は連結部１４Ｂから第１取り付け部３１の間の位置に形成され、第２係合部２９は連結部１４Ｂから第２取り付け部３２の間の位置に形成されている。
【００２２】
図３と図４（Ａ）と図４（Ｂ）に示す光ファイバケーブル４０は、ドロップ光ケーブルやインドア光ケーブルなどである。図４（Ａ）には、第１光ファイバとしての内蔵光ファイバ５８と、第２光ファイバとしての光ファイバ心線４３を示している。
【００２３】
光ファイバ心線４３は、裸光ファイバ４４と、被覆層４５とを有している。裸光ファイバ４４は、被覆層４５により被覆されており、光ファイバ心線４３はシース４１により被覆されている。光ファイバケーブル４０の端部のシース４１を剥ぎ取ったあと、把持部材２０は、光ファイバ心線４３を露出させた状態でシース４１の端部に固定されている。
【００２４】
図３と図４（Ａ）と図４（Ｂ）に示すように、把持部材２０は、光ファイバ心線４３の上に光ファイバケーブル４０のシース４１を機械的に把持する例えばプラスチック製の外被把持部材であり、傾斜面４２を有しているほぼ直方体形状のブロック体である。この傾斜面４２は、テーパ面とも言うことができ、裸光ファイバ４４と被覆層４５側に下がる方向に傾斜して形成されている。
【００２５】
図４（Ｂ）に示すように、把持部材２０は、一端部から他端部に渡って断面Ｕ字型の溝４３を有しており、シース４１の端部は溝４３の内面には複数の突起４４により固定されている。
【００２６】
次に、図４と図５を参照して、接続部品２１について説明する。
接続部品２１は、プラグフレーム１２内において軸方向ＣＬに沿って固定されている。接続部品２１の構造例は、図４と図５（Ａ）と図５（Ｂ）に示している。図５（Ｂ）は、図５（Ａ）におけるＫ−Ｋ線における接続部品２１の断面構造を示している。図５（Ａ）と図５（Ｂ）に示すように、接続部品２１は、Ｖ溝基板（接続基板）５０と、ファイバ押さえ蓋５１と、被覆押さえ蓋５２と、クランプスプリング５３，５４と、キャピラリ（フェルールともいう）５５と、スプリング５６を有する。
【００２７】
図５（Ｂ）に示すように、Ｖ溝基板５０の鍔部５７には、キャピラリ５５の一端部が固定されている。クランプスプリング５３は、Ｖ溝基板（接続基板ともいう）５０と、ファイバ押さえ蓋５１をクランプしており、クランプスプリング５４は、Ｖ溝基板５０と、被覆押さえ蓋５２をクランプしている。
【００２８】
図５（Ｂ）に示すように、キャピラリ５５は、第１光ファイバの一例である内蔵光ファイバ５８を保持しており、内蔵光ファイバ５８の一端部５８Ｂは、Ｖ溝基板５０と、ファイバ押さえ蓋５１の間において、Ｖ溝基板５０のＶ溝５９Ｖ内に保持されている。内蔵光ファイバ５８の他端部５８Ｃは、キャピラリ５５の端部において面一になるように位置決めされている。スプリング５６は、図４（Ａ）に示すように、基部１４Ｂの通路１１Ｄ内に配置されており、スプリング５６は、接続部品２１をＴ方向に沿って弾性力により保持している。
【００２９】
図６（Ａ）〜図６（Ｃ）は、図５（Ｂ）に示す接続部品２１のＢ−Ｂ線における断面図である。
【００３０】
図６（Ａ）から図６（Ｂ）に示すように、クサビ５９ＲがＶ溝基板５０と被覆押さえ蓋５２の間に設けられている溝部分５９Ｄに対して押し込まれることにより、Ｖ溝基板５０と被覆押さえ蓋５２の間には、小さな隙間５９Ｓを設けることができる。この隙間５９Ｓを利用して、Ｖ溝５９Ｔには裸光ファイバ４４（裸光ファイバ４４は図４を参照）を挿入できる。
【００３１】
そして、図６（Ｃ）に示すように、クサビ５９Ｒが溝部分５９Ｄから抜かれることで、裸光ファイバ４４はＶ溝基板５０と被覆押さえ蓋５２の間に固定できる。この場合には、図４（Ａ）に示す内蔵光ファイバの端面５８Ｂと、裸光ファイバ４４の端面４４Ｓは突き当てられており、光学的に接続された状態になる。
【００３２】
次に、図７〜図１２を参照して、蓋１４と把持部材２０の構造について更に説明する。
図７は、蓋１４が把持部材収納部１１の収納室１６を閉じる直前の状態を示しており、図８と図９と図１１は、蓋１４と把持部材収納部１１の構造を説明するために、蓋１４を把持部材収納部１１側から取りはずした状態を示している。
【００３３】
図７に示す蓋１４は、既に説明したように突起３３を有している。この突起３３は、例えば図３に示すように蓋１４の幅方向に沿って、すなわち図７における紙面垂直方向に沿って連続して形成されている。この突起３３の幅は、把持部材２０の傾斜面４２の図７の紙面方向における幅と同じであっても、大きくても小さくても良く、突起３３の幅は特に限定されない。
【００３４】
図７に示すように、突起３３は、蓋１４の長手方向Ｓに対して例えば垂直方向に突出して形成されている。把持部材２０は、第１面部２０Ｂと、第２面部２０Ｃと、前側の端部２０Ｆと後側の端部２０Ｒを有している。第１面部２０Ｂは蓋１４の内面側に対面する平面部分であり、第２面部２０Ｃは収納室１６の底面部１７の内面に置かれる平面部分である。第１面部２０Ｂと第２面部２０Ｃは平行であり、第１面部２０Ｂ側には、傾斜面４２が形成されている。この傾斜面４２は、第１面部２０Ｂから端部２０Ｆ側に向けて下がる方向に形成されている。前側の端部２０Ｆと後側の端部２０Ｒは平行である。
【００３５】
図８を参照すると、図８には第１距離Ｌ１と、第２距離Ｌ２と、移動量Ｘ１と、傾斜面４２の水平長（傾斜面４２の軸方向ＣＬに沿った長さに相当）Ｘ２を示している。
【００３６】
第１距離Ｌ１は、蓋１４の回転支点１９から突起３３の先端までの距離を示しており、第２距離Ｌ２は、回転支点から把持部材２０の傾斜面４２の端部（上端部）４２Ｔまでの距離を示している。
【００３７】
図８に示す移動量Ｘ１は、把持部材２０の端部２０Ｒとストッパ１８との間の間隔に相当する。傾斜面４２の水平長Ｘ２は、軸方向ＣＬに関する傾斜面４２の長さである。
【００３８】
図８に示す第１距離Ｌ１と第２距離Ｌ２との大小関係（条件１）は、次の通りである。
第１距離Ｌ１≦第２距離Ｌ２・・・・・・・・・・・・・・・・・式１
図７に示すように、把持部材２０が収納室１６の内部の前方位置、すなわち基部１１Ｂ側に接して位置される際に、蓋１４がＲ方向に回動させるとこの蓋１４の突起３３が把持部材２０の傾斜面４２に当たるようにしなければならない。
【００３９】
もし、第１距離Ｌ１が第２距離Ｌ２よりも大きいと、突起３３が把持部材２０の傾斜面４２に当たらずに第１面部２０Ｂに当たってしまい、突起３３は把持部材２０をＴ２方向に沿って押して移動させることができず、把持部材２０の端部２０Ｒはストッパ１８に対して突き当てて位置決めして固定することができなくなる。
【００４０】
さらに、図８に示す移動量Ｘ１と傾斜面４２の水平長Ｘ２との大小関係（条件２）は、次の通りである。
移動量Ｘ１≦傾斜面４２の水平長Ｘ２・・・・・・・・・・・・・式２
【００４１】
もし、移動量Ｘ１が傾斜面４２の水平長Ｘ２よりも大きいと、把持部材２０が十分にＴ２方向に沿って移動されずに把持部材２０の端部２０Ｒとストッパ１８との間には隙間が残ってしまうので、蓋１４を閉めたときに把持部材２０が収納室１６内で固定できずにがたついてしまい、把持部材２０を収納室１６内の正確な位置に固定できなくなる。
【００４２】
図９は、突起３３の高さＹ１と傾斜面４２の鉛直方向の長さ（中心軸ＣＬに対して垂直方向に沿った長さ）Ｙ２の大小関係（条件３）を示している。
突起３３の高さＹ１は、回転支点からの前記突起の先端までの高さであり、この突起３３の高さＹ１と傾斜面４２の鉛直方向の長さＹ２との大小関係（条件３）は、好ましくは次の通りである。
突起３３の高さＹ１≧傾斜面４２の鉛直方向の長さＹ２・・・・・式３
【００４３】
図１０（Ａ）は、好ましくない例であり、突起３３の高さＹ１が傾斜面４２の鉛直方向の長さＹ２よりも小さい（突起３３の高さＹ１＜傾斜面４２の鉛直方向の長さＹ２）場合の状態を示しており、図１０（Ｂ）は、好ましい例であり、突起３３の高さＹ１が傾斜面４２の鉛直方向の長さＹ２と同じか長さＹ２よりも大きい（突起３３の高さＹ１≧傾斜面４２の鉛直方向の長さＹ２）場合の状態を示している。
【００４４】
図１０（Ａ）に示す好ましくない例では、突起３３は傾斜面４２の途中部分を突き当てるようにして把持部材２０をストッパ１８に対して固定することになる。このため、シース４１に対してＴ２方向に外力が加わった場合には、把持部材２０がＴ１方向に押されるので、蓋１４が傾斜面４２と突起３３を介して押されてＲ１方向に開いてしまうことがある。
【００４５】
これに対して、図１０（Ｂ）に示す好ましい例では、突起３３は傾斜面４２の途中部分ではなく、突起３３は把持部材２０の端部２０Ｆに直接突き当てられるので、Ｔ１方向に外力が加わっても蓋１４が開かない。
【００４６】
図１１は、傾斜面４２の傾斜角度（テーパ角度）Ａを示している。
この傾斜角度Ａの値の範囲（条件４）は、好ましくは次の通りである。
１５度≦傾斜角度Ａ≦４５度・・・・・・・・・・・・・・・・・式４
【００４７】
もし、図１２（Ａ）に示す好ましくない例では、傾斜角度Ａが１５度未満であると、蓋１４を押しても把持部材２０がＴ２方向へは移動せず、蓋１４が閉まらない。また、図１２（Ｂ）に示す好ましくない例では、傾斜角度Ａが４５度を超えると、蓋１４の突起３３を大きくしなければならず、蓋１４を示す際に早い段階、すなわち蓋１４が大きく開いている状態から、把持部材０がＴ２方向に動き始める。従って、蓋１４を閉める作業がやりにくくなり、把持部材２０が収納室１６内から飛び出してしまう懸念もある。
【００４８】
次に、図１と図２に示す補助ユニット１５の構造例を説明する。
図１と図２に示すように、補助ユニット１５は、把持部材収納部１１の収納室１６に対して、把持部材２０をＴ２方向に沿って直線スライドさせて確実に入れ込むための部材である。このため、補助ユニット１５は、把持部材収納部１１に対して係合する部分により着脱可能に固定されている。
【００４９】
補助ユニット１５は、把持部材２０のガイド部６０と、第１ラッチ部６１と第２ラッチ部６２を有している。ガイド部６０はＴ２方向に沿って形成されたガイド溝６０Ｇを有している。このガイド溝６０Ｇの内端部６０Ｈは、把持部材収納部１１の収納室１６に連続している。これにより、作業者は、把持部材２０をガイド溝６０Ｇに沿って移動することで、収納室１６内に確実に収納できる。
なお、図３に示す光ファイバケーブル４０は、断面が矩形の例えば３ｍｍ×２ｍｍの大きさを有している。
【００５０】
次に、上述した光コネクタ１０の組立例を説明する。
作業者は、図１に示すように補助ユニット１５のガイド溝６０Ｇに沿ってＴ１方向に把持部材２０をガイドしながら収納室１６内に導くと共に、裸光ファイバ４４は基部１４Ｂの通路１１Ｃ内に導く。
【００５１】
図６に示すように、クサビ５９ＲがＶ溝基板５０と被覆押さえ蓋５２の溝部分５９Ｄに対して押し込まれることにより、Ｖ溝基板５０と被覆押さえ蓋５２の間には、小さな隙間５９Ｓを設けることができるので、この隙間５９Ｓを利用して、Ｖ溝５９Ｔには裸光ファイバ４４を挿入できる。
【００５２】
そして、図６（Ｃ）に示すように、クサビ５９Ｒが溝部分５９Ｄから抜かれることで、裸光ファイバ４４はＶ溝基板５０と被覆押さえ蓋５２の間に固定できる。この場合には、図４（Ａ）に示す内蔵光ファイバの端面５８Ｂと、裸光ファイバ４４の端面４４Ｓは突き当てられており、光学的にメカニカル的に接続される。
【００５３】
図７に示すように、蓋１４が収納室１６を閉じる前の状態では、把持部材２０の端部（前端部に相当）２０Ｆが、基部１１Ｂに対して突き当てられており、この状態では、光ファイバ心線４３もしくは被覆層４５は、撓んでいる。
【００５４】
その後、図７に示すように作業者が蓋１４をＲ方向に回動すると、突起３３が把持部材２０の傾斜面４２に突き当てられることで、突起３３が把持部材２０を底面部１７上でＴ２方向に押して移動させる。
【００５５】
これにより、把持部材２０は、底面部１７に沿ってＴ２方向に移動して、図１０（Ｂ）に示すように、把持部材２０の端部（後端部に相当）２０Ｒがストッパ１８に突き当てられて位置決めして固定される。この位置決めされた状態では、裸光ファイバ４４と被覆層４５は、軸方向ＣＬに沿ってほぼたるみの無いように保持できる。
【００５６】
光コネクタ１０では、図８に示すように、第１距離Ｌ１≦第２距離Ｌ２（条件１）であるので、把持部材２０が収納室１６内の前方に突き当てて位置する状態で、作業者が蓋１４を回動させるだけで、蓋１４の突起３３が把持部材２０の傾斜面４２に突き当てることができる。このため、把持部材２０はストッパ１８に向けてＴ２方向に沿って移動して固定位置に位置決めすることができる。
【００５７】
しかも、光コネクタ１０では、図８に示すように、第１距離Ｌ１≦第２距離Ｌ２（条件１）であり、かつ移動量Ｘ１≦傾斜面４２の水平長Ｘ２（条件２）であるので、蓋２０を閉めた時に、把持部材２０を位置決めして固定した状態で、把持部材２０が収容室１６内でがたついてしまうのを防ぐことができる。
【００５８】
これにより、作業者が把持部材２０を直接手動でストッパ１８に向けて移動しなくても、蓋１４を閉める動作に伴って把持部材２０をストッパ１８に対して移動させて位置決めして固定することがでる。蓋１４は確実に閉めることができ、光ファイバ接続作業をスムーズにしかも確実に行うことができる。
【００５９】
また、本発明の実施形態において、光コネクタ１０では、図９に示すように、好ましくは突起３３の高さＹ１≧傾斜面４２の鉛直方向の長さＹ２（条件３）であると、図１０（Ｂ）に示すように突起３３は、把持部材２０の傾斜面４２を押さえ込むのではなく把持部材２０の端部２０Ｆを押さえ込むことができるので、図１０（Ｂ）に示すシース４１に対してＴ１方向に外力が加わっても、把持部材２０は突起３３とストッパ１８の間に保持できる。従って、Ｔ１方向の外力が加わっても蓋１４が開いてしまうことがない。
【００６０】
さらに、本発明の実施形態において、光コネクタ１０では、図１１に示すように、好ましくは１５度≦傾斜角度Ａ≦４５度であれば、把持部材２０は、収容室１６内において確実に移動させることができ、把持部材２０が、収容室１６内から飛び出すこともなく、蓋１４を閉める作業が確実で容易になる。
【００６１】
図１３は、本発明の別の実施形態を示している。
図１３に示すように、把持部材２０は、蓋１４の内面側に対面する第１面部２０Ｂと、収納室１６の底面部１７に接する第２面部２０Ｃとを有しており、第１面部２０Ｂには一方の傾斜面４２が形成されており、第２面部２０Ｃには、他方の傾斜面４２Ｄが形成されている。これらの傾斜面４２，４２Ｄは、例えば同じ傾斜角度Ａで形成されている。このような把持部材２０の構造を採用することで、把持部材２０が収納室１６内に逆向きに配置されても良いので、把持部材２０の上下関係を気にしないで、把持部材２０を収納室１６内にはめ込むことができる。図１３の傾斜面４２，４２Ｄは、例えば上述した条件１〜条件４を満たしている。
【００６２】
図１３に示す実施形態の他の要素は、図１ないし図１２に示す実施形態と同じであるので、同じ符号を付けてその説明を用いる。
【００６３】
上述したように本発明では、上述した条件１と条件２は必須であるが、条件３と条件４は任意に選択して採用することができる。
本発明の実施形態では、回転支点１９は、プラグフレーム１２に対して固定された部分である基部１１Ｂに形成されており、基部１１Ｂは、把持部材収納部１１と一体に形成されている。これにより、回転支点１９を形成するために別の部品を用意する必要がなく、部品点数を減らすことができる。
【００６４】
ところで、本発明は、上記実施形態に限定されず種々の変形例を採用できる。
例えば、突起３３の先端の断面は、ほぼ平坦になっているが、これに限らず突起３３の先端の断面は半円形状や三角形状であってもよい。
把持部材２０は、ほぼ直方体形状であるが、断面が円形形状や楕円形状であっても良い。この場合には、収納室１６の断面形状は把持部材２０の形状に合わせる。
【図面の簡単な説明】
【００６５】
【図１】本発明の光コネクタの好ましい実施形態を示し、蓋が開いている状態を示す斜視図である。
【図２】図１に示す光コネクタの蓋が閉じた状態を示している斜視図である。
【図３】図１と図２に示す把持部材収納部の形状を明示するために、光コネクタから補助ユニットを取り外した状態を示しており、しかも把持部材の形状を示す斜視図である。
【図４】図３におけるＡ−Ａ線における光コネクタの内部構造を示す断面図である。
【図５】接続部品の構造を示す図である。
【図６】接続部品により裸光ファイバを固定する様子を示す図である。
【図７】蓋が把持部材収納部の収納室を閉じる直前の状態を示す図である。
【図８】蓋が把持部材収納部側から取りはずされた状態を示す図である。
【図９】蓋が把持部材収納部側から取りはずされた状態を示す図である。
【図１０】突起の高さＹ１と傾斜面の長さＹ２の大小関係例を示す図である。
【図１１】蓋が把持部材収納部側から取りはずされた状態を示す図である。
【図１２】傾斜角度が設定数値の範囲外である時に蓋を閉めようとする状態を示す図である。
【図１３】本発明の別の実施形態を示す図である。
【図１４】従来例の動作を示す図である。
【図１５】従来例の動作を示す図である。
【符号の説明】
【００６６】
１０            光コネクタ
１１            把持部材収納部
１２            プラグフレーム（フレームの一例）
１４            蓋
１６            収納室
１９            回転支点
２０            把持部材
３３            突起
４２            傾斜面
ＣＬ            軸方向
４３            光ファイバ（第２光ファイバに相当）
５８            内蔵光ファイバ（第１光ファイバに相当）
【図１】
0005019610.tif 000002
【図２】
0005019610.tif 000003
【図３】
0005019610.tif 000004
【図４】
0005019610.tif 000005
【図５】
0005019610.tif 000006
【図６】
0005019610.tif 000007
【図７】
0005019610.tif 000008
【図８】
0005019610.tif 000009
【図９】
0005019610.tif 000010
【図１０】
0005019610.tif 000011
【図１１】
0005019610.tif 000012
【図１２】
0005019610.tif 000013
【図１３】
0005019610.tif 000014
【図１４】
0005019610.tif 000015
【図１５】
0005019610.tif 000016